(57)【特許請求の範囲】
【請求項１】
折り曲げにより分けられた二つの包装要素部分の一つが他の一つを越えて突出するようにセンターを外して折り曲げられた包装要素で部分的あるいは完全に印刷物を包装することによって、個々のあるいはわずかな数の新聞、雑誌、パンフレット等の連続的に送られてくる印刷物を包装する方法において、
最初に包装要素を挿入しそしてそれから印刷物を包装要素に挿入または印刷物と一緒に包装要素を挿入することによって、閉鎖された移送通路に沿って連続的に移動している一連の概ねＶ字形の挿入区画中へ、前向きに折り曲げられた包装要素および印刷物を供給する工程と、
包装要素の折り曲げに向かい合った端に沿って印刷物を切断する工程と、
印刷物の端の周りに包装要素の突出部を置くことによって少なくとも部分的に包装要素を閉鎖する工程と、
前記区画から包装された印刷物を取り出す工程とを備え、
前記供給する工程の前または後で包装要素の突出部分を内側に折り曲げそして前記切断する工程の後で開くことを特徴とする方法。
【請求項２】
包装要素を包装すべき印刷物とが包装の間移送方向に挿入区画室と共に運ばれ、さらに挿入区画室の移送方向に対して直角の方向に区画室中に運ばれることを特徴とする請求項１に記載の方法。
【請求項３】
挿入区画室が円状に動くことを特徴とする請求項１または２に記載の方法。
【請求項４】
印刷物が折返し部において包装要素に縫合され、包装要素と共に挿入区画に挿入されることを特徴とする請求項１から３までのいずれか１項に記載の方法。
【請求項５】
曲げ、あるいは折り返された包装要素の一部が曲げ、あるいは折返し部に面する印刷物の隅部において包装すべき印刷物より突出することを特徴とする請求項４に記載の方法。
【請求項６】
包装すべき印刷物よりも突出している包装要素の部分が押圧の前に少なくとも部分的に接着剤が付与されることを特徴とする請求項５に記載の方法。
【請求項７】
包装要素を閉じる前に、前記包装要素あるいは印刷物に縫合された包装要素に少なくとも１個の別の印刷物が挿入されることを特徴とする請求項６に記載の方法。
【請求項８】
閉鎖された移送通路に沿って移動可能で、その移送方向に対して直角に配置された複数の実質的にＶ字形挿入区画室と、
折り曲げられた端が前方に向いた包装要素と、前記挿入区画室の連続した室内への印刷物とを供給する手段と、
包装要素の折り曲げに向かい合った端に沿って印刷物を切断する手段と、
前記印刷物の端に沿って前記包装要素の突出部を置く手段および該突出部を他の部分に押し付けるための手段と、
前記包装要素の内側折り曲げ部分を折り戻す手段と、
前記挿入区画室から包装された印刷物を開放する手段とを備える、請求項１に記載の方法を実施する装置。
【請求項９】
前記突出包装要素部分を内側に折り曲げるための手段を更に備えた請求項８に記載の装置。
【請求項１０】
包装要素と印刷物とを、内部移送手段を有する挿入区画室の移送方向に対して横方向に移送することを特徴とする請求項８または９に記載の装置。
【請求項１１】
挿入区画室が包装ドラムまたは回転式包装装置に位置していることを特徴とする請求項８から１０までのいずれか１項に記載の装置。
【請求項１２】
挿入区画室内に、包装要素と印刷物とを横方向に整合させる手段と、包装要素と印刷物とを切断する手段と、包装要素の折返し部を開放する手段および（または）包装要素に接着剤を付与する手段をさらに有することを特徴とする請求項８から１１までのいずれか１項に記載の装置。
【請求項１３】
挿入区画室において概ね静止した印刷物と包装要素とに作用する別の手段が前記挿入区画室に位置され、内部移送手段を介して印刷物と包装要素とが挿入区画室に位置した前記の別の手段の近傍へ移動可能であり、および（または）前記別の手段は固定されて配設され、その近傍へ前記挿入区画室が移動可能であることを特徴とする請求項１２に記載の装置。
【請求項１４】
包装要素の部分を折り戻しあるいは折り曲げる手段が、挿入区画室に装着された少なくとも１個の折りたたみあるいは折り戻しノーズあるいは挿入区画室の外側で装着された少なくとも１個の折りたたみあるいは折り戻しブレードから構成されることを特徴とする請求項８に記載の装置。
【請求項１５】
包装要素あるいは印刷物に接着剤を付与する手段が固定された噴射装置であることを特徴とする請求項１２または１３に記載の装置。
【請求項１６】
包装要素の突出部を他方に対して相互に押圧する手段が、相互に押圧される少なくとも一対の押圧ローラあるいは相互に対して運動可能の一対のクランプジョーから構成されることを特徴とする請求項８に記載の装置。
【請求項１７】
包装要素を包装すべき製品の縁部の周りで包装要素の突出部を置く手段が、区画室に配置された折曲げノーズあるいは固定して配設された折曲げテンプレートであることを特徴とする請求項８に記載の装置。
【請求項１８】
包装要素の部分を押圧する手段が挿入区画に位置した押圧ローラ、あるいは固定されたスターローラから構成されることを特徴とする請求項８に記載の装置。
【発明の詳細な説明】
【０００１】
【産業上の利用分野】
本発明は、例えば新聞、雑誌、あるいはパンフレットのような連続的に送られてくる印刷物を包装する方法と手段とに関し、それぞれの場合、１個の印刷物あるいは少数の印刷物が包装される。
【０００２】
【従来の技術】
個別の印刷物、あるいは数個の印刷物、例えば小さい群の印刷物は従来技術によれば、発送のために包装されるが、ある程度連続的な方法で、一般的に印刷物より狭幅であるが、印刷物と同じ幅でもよい包み紙で包装されたり、あるいは溶着により、またはカバー内に挿入して全体的に全ての側でシートにより包装される。
【０００３】
得られる包装の特性、従って印刷物に対して包装により提供される効果的な保護、そして方法の複雑さの相違により種々の包装方法があり、一般に複雑な方法は良好な保護を提供する。
【０００４】
全ての公知の方法に対して共通なことは、少なくとも包装方法の部分的な段階に対して印刷物は個別に、すなわち、１個づつ分けられ、均等に停止する必要があり、すなわち印刷物は前記部分段階に流れとして供給される必要があり、例えば一対の縁部に対して平行に運ばれ、２個の隣接する製品の搬送方向に対して直角の対応する縁部間の距離が少なくとも搬送方向の包装物の広がりと同じ大きさであることである。そのような流れは毎時８，０００〜１２，０００部の能力を可能とするが、現在必要とされている毎時４０，０００部までの大きな能力を達成することはできない。公知の方法を用いてそのような高い能力を達成するには、複数かつ平行に包装が実行される必要があり、これは相応に高価の装置を必要とする。
【０００５】
【発明が解決しようとする課題】
本発明の課題は、複数の種々の包装を作ることができ、製品を個別に区分けすることなく直接高容量の流れで、すなわち製品がそれらの縁部に概ね横方向に、かつそれら縁部の長さよりも著しく短い間隔で通常運ばれる流れにおいて実行できる、個別の印刷物あるいは小さい群の包装物を包装する方法を提供することである。本発明の別の課題は、印刷物のさらに別の処理に公知の要素を最大限用いる意図であり、種々変形の包装方法に容易に適合しうるように構成される、包装方法を実行する手段を提供することである。
【０００６】
前記の課題は、特許請求の範囲に規定された包装方法と、その方法を実行する手段とによって解決される。
【０００７】
本発明による方法の基本概念は包装方法として挿入方法を適合させることである。この目的に対して、曲げあるいは折返しを施した曲形あるいは事前折返しの包装要素が概ねＶ字形の、連続して運ばれている挿入区画室中へ導入される。包装要素はその曲形あるいは折返し状態において、少なくとも一方向では包装すべき印刷物より大きい。次に、包装要素は開放され（Ｖ字の２つの部分が相互から分離され）、包装すべき製品が曲形あるいは事前折返した包装要素中へ「挿入」される。次に、包装要素は、まだ挿入区画室に位置している間に少なくとも部分的に閉鎖され、例えば包装すべき製品よりも突出している包装要素の部分が製品の縁部の周りに位置され、例えば反対側に付着される。包装要素によって少なくとも部分的に包まれた印刷物は挿入区画室から取り出される。同様に、１個の包装要素毎に複数の印刷物を共に、あるいは連続して挿入し、印刷物の群としてそれらを前述の要領で包装することができる。
【０００８】
本発明による方法の実施例および前記方法を実行する手段の実施例を添付図面を参照して以下詳細に説明する。
【０００９】
【実施例】
本発明による方法と手段とを図示するために、図１は、例えばドイツ特許第２４４７３３６号あるいは対応する米国特許第３９５１３９９号（Ｆ６９）における挿入ドラムとして機能が説明されている包装ドラム１を極めて概略的に示す。以下説明する要領で包装ドラムに適合されるそのようなドラムを用いて本発明による包装方法を実行することができる。
【００１０】
包装ドラムは回転軸心（矢印Ｂ）の周りを回転する。包装ドラムはその周囲に複数の挿入区画室１０を有しており、該区画室はドラムの軸線方向、すなわち運動方向Ｂに対して横方向に延在し、かつ軸線方向に区画室の中味を運ぶ（矢印Ａ）搬送手段を備えている。挿入区画室はまた、包装方法の個々の段階を実行する手段を有し、かつ（または）前記手段は、挿入区画室がドラムを回転することにより該手段を通って順次運動しうるようにドラムの周囲の近傍に位置している。挿入区画室はまた、区画室の中味がドラムの少なくとも下側で区画室内に保持されうるようにする保持手段を含んでいる。
【００１１】
挿入区画室内の搬送手段、包装方法の諸段階を実行する手段、および保持手段は図示されていない。区画室の中味を搬送する手段（区画室内搬送手段）は例えばスイス特許第５７５３０３号（あるいは米国特許第４０５８２０２号−Ｆ７６）に記載されている。
【００１２】
ドラム入口領域（図の左方の矢印Ａの始点）において、ドラムには、１個の包装要素が各挿入区画室に置かれる、すなわち折返し部あるいは曲げ部を先にして入れられ、Ｖ字形区画室の底に載置されるように連続した流れ（矢印Ｃ）、例えば高容量の流れの形態で折返した、あるいは少なくとも曲げた、あるいは折った包装要素３が供給される。
【００１３】
挿入区画室に位置された包装要素はここではドラムを回転させることにより円状に、かつ区画室内の搬送手段により軸線方向に動かされるので、らせん状の運動軌道が得られる。前記内部搬送手段の作用により前記運動軌道は連続したらせん状や、あるいはより有利なことであるが、段階的ならせん状とすることができる。包装要素がこのらせん状軌道を通っている間に、包装要素はまず、開放されるか、あるいは少なくとも明確に画定された開放位置に、次いで各区画室に持って来られ、各々の開放された包装要素に少なくとも１個の包装すべき印刷物４が供給され（矢印Ｄで示す高容量の流れ）、包装要素に挿入される。本方法とドラム装置とによりさらにらせん状に送られている間、包装方法の別の段階、少なくとも包装要素が閉鎖される段階が実行され、ドラムの出口領域（図の右方の矢印Ａの終点）において、包装された印刷物５は、ここでも高容量の流れ（矢印Ｅ）としてドラムから取り出される。ドラムから取り出されると、包装要素は、印刷物がそこからさらに搬送するために包装要素内に十分しっかりと保持される程度まで包装すべき製品の周りで少なくとも閉鎖される。しかしながら、ドラムからの取出しに続く、別の閉鎖段階は例えば横方向で実行できる。
【００１４】
既述の手段を用いて、挿入区画に位置した包装要素３および印刷物４に対して実行しうる本方法のそれ以上の段階は、例えば包装要素の部分的に折り曲げた部分を完全に折り曲げること、包装要素の一領域に接着剤を塗布すること、包装要素の突出部分を包み重ねること、包装要素の包み重ね部を押圧すること、等がある。
【００１５】
包装要素３と印刷物４とをドラムに供給するため（矢印Ｃ，Ｄ）およびドラムから包装された製品５を取出すため（矢印Ｅ）、本出願人による下記の特許刊行物に記載のような装置を用いることができる。スイス特許第６６８２４４号（または米国特許第４８０１１３２号−Ｆ２００）、欧州特許第４８１９１４号（または米国特許第５１６９１３９号−Ｆ３０３）、欧州特許第３４１４２３号（または米国特許第４９８１２９１号−Ｆ２６２）あるいはドイツ特許第２４４７３３６号（または米国特許第３９５１３９９号−Ｆ６９）である。
【００１６】
図２は、これも本発明の方法を実施しうる回転式包装装置２を示す。挿入装置として作用する、そのような回転式装置は例えばスイス特許第６６９９４４号（または米国特許第４７４３００５号−Ｆ２０９）あるいは欧州特許第３４６５７８号（または米国特許第５１０４１０８号−Ｆ２６５）に記載されている。ここでもＶ字形挿入区画室２０が用いられており、該区画室は閉鎖搬送区画、例えば閉鎖された区画室チエインと結合した区画上で連続的に運動し、かつ２個の案内プーリの周りで案内されている。区画室はそれらの搬送方向（矢印Ｂ）に対して横方向に位置している。回転式包装装置の区画室は包装ドラムの挿入区画室と同様、包装すべき対象物よりはるかに幅が広く、かつ対象物を区画室中へ、かつ挿入区画室の搬送方向（矢印Ｂ）に対して横方向に（図面の平面に対して垂直に）移動させるための内部搬送手段を備えている。しかしながらそのような搬送手段はまた省いてもよく、すなわち、包装要素と包装すべき印刷物とは区画室において概ね一定の位置をとり、本方法の個々の段階を実行する手段を区画室の外側に固定して配設し、区画室の移動と同期化した調時された機能を果すようにすれば有利である。それぞれの機能を実行するのに長時間を要する本発明の方法の諸段階を実行する手段を多数設け、それぞれ特定の区画室と組み合わせて特定の区画にわたって運動させ、これを繰り返すことも可能である。
【００１７】
包装ドラムに関連した本発明の方法の説明は回転式包装装置にも適用できる。従って、矢印Ｂ，ＣおよびＤも包装方法の実行の間の挿入区画室の移動方向（Ｂ）、包装要素３の供給（Ｃ）、包装すべき印刷物４の供給（Ｄ）および包装された製品５の取出し（Ｅ）を示す。挿入区画室への包装要素と印刷物の移送（図１の矢印Ａに対応）は示されていないが、これは可能であり、すなわち移送方向Ｂに対して横方向の双方向に行われる。矢印Ｆは戻り側を示し、挿入区画は包装要素供給点まで空で戻される。
【００１８】
図３から図８までは本発明による包装方法の種々の実施例を示す。各々の場合において、１個の包装要素３と、包装すべき１個の印刷物４とが包装方法の一連の段階において、かつ仕上った包装製品５として示されている。別の同様の方法によって作りうる包装製品も示されている。
【００１９】
図３は包装方法の第１の実施例を示す。印刷物４．１、例えばパンフレットが折返し部を先にして、概ね同等の幅の包装要素３．１中へ挿入される。包装要素は予め折曲げされており、すなわち折曲げられた２個の部分が折曲げ部に対して横方向に同じ長さに延在しないように折曲げ、曲形とされ、あるいは折りたたまれている。例えば、短い方の部分は包装すべき製品４．１と同じ長さか、あるいはそれより短かく、一方長い方の部分は包装すべき製品の厚さ以上、短い方の部分より長くされている。包装要素３．１および挿入された印刷物４．１は相互に対して横方向に整合していることが有利で、そうすれば挿入された製品の上方に突出している包装要素の部分が挿入された印刷物の対応する縁部の周りに位置され、例えば接着剤を付与した後、他方の側に押し付けられ閉鎖される。接着剤はまた、例えば包装手段に包装要素を供給する前に包装要素に事前に付与してもよい。包装要素３．１が接着フィルムからなる場合は、閉鎖時までに相互に押圧することで十分である。このようにして、包装要素が印刷物の主要面を被覆するが、側部は開放している包装製品５．１を作る。
【００２０】
図３に示す包装方法の実施例はさらに以下のように変更することも可能である。包装要素が包装すべき印刷物より幅が狭く、仕上り包装物（包装製品５．２）において帯紙の形で印刷物を囲む。包装すべき印刷物にまず包装要素に前小口（ブルーム）を挿入する（包装製品５．３）。代替的に折返し部を包装要素の折曲げ部に対して横方向に位置させる。同じサイズであることが都合のよい数個の印刷物を包装要素に一緒に、あるいは順次挿入する（包装製品５．４）。
【００２１】
図４は包装方法の別の実施例を示す。包装要素３．５は包装すべき印刷物４．５より広幅である。本方法は（挿入後包装要素と印刷物とを横方向に整合させることなく）図３に示す方法と同様に行われる。しかしながら、包装すべき製品より横方向に突出している包装要素の部分を横方向に閉鎖するという段階が続く。この段階は包装要素に事前に付与された接着剤が活性化される段階を含み、側部分が相互に押しつけられる（包装製品５．５）。包装要素の横方向の閉鎖はまた、包装要素の横方向縁部を変形させ、適当な包装材料が圧縮されて接着剤を用いなくても適当な閉鎖が得られるようにして行ってもよい（包装製品５．６）。
【００２２】
図５は包装方法の別の実施例を示し、中心で折返し、あるいは曲げられた（事前折曲げはない）包装要素３．７が折返し部に対して平行かつ横方向に、包装すべき製品４．７より突出する。包装物を閉鎖するには、縁部に事前に付与された接着剤の付与点が必要に応じて活性化され、縁部が相互に押しつけられる（包装製品５．７）。接着剤は挿入区画室において包装要素の縁部に付与してもよい。ここでも縁部変形法を用いることができる（包装製品５．８）。
【００２３】
図６は包装方法の別の実施例を示す。使用される包装要素は包装すべき製品４．９の２倍に相当する。製品は前小口を先にして包装要素中に挿入され、包装すべき印刷物の折返し部近傍のめくり上げ接着点６０により包装要素はその主要面において固定される。このようにして包装製品５．９が出来上り、包装要素自体は閉鎖されていないが、包装すべき製品に対して固定することにより閉鎖されている。
【００２４】
図７は包装方法の別の実施例を示し、予め折返したり、あるいは少なくとも曲げられていないが、別の準備段階により予め調製された包装要素３．１０が使用されている。包装要素は中央で折曲げられ、全ての側がまだ切断されていない状態で包装すべき製品４．１０と同じか、あるいはそれより大きいシート７０から形成されている。前記シートから２個所の隅部が切断され（７１）、次いで折り曲げられる（７２）。次いで前記シートは中央で折返し、あるいは曲げられ、この形態で包装要素３．１０として用いられる。印刷物４．１０は例えば折返し部を先にして包装要素３．１０中へ挿入され、双方が、例えば横方向かつ印刷物（７３）のブルームの近傍で切断される。包装要素の折返した隅部が開かれ（７４）、包装すべき製品より突出する包装要素の部分が製品の縁部の周りに置かれ、反対側に接着される。このようにして少なくとも部分的に閉鎖されている全面包装された製品５．１０を提供する。
【００２５】
図８は包装方法の別の実施例を示す。この場合、包装要素３．１１は、包装すべき印刷物にすでに縫合されているものの切断は未だの状態で供給される。包装要素を縫合する方法と組み合わせて印刷物を作る方法は例えばスイス特許第５４０８１６号（グラフア  ホールディング−Grapha Holding) に記載されている。包装要素３．１１は少なくとも一方の側において内方に折返された事前折返し部８０を有している。包装要素３．１１は、前記の事前折返し部８０の折返し縁がたとえ切断された状態であっても印刷物より突出しないような寸法で折り返されている。包装要素を縫合した印刷物は包装要素の折返し部に対して少なくとも平行に挿入区画室において切断されるが事前折返し部８０での折返し部には触れていない。次に前記事前折返し部８０が折り戻され、すなわち開かれて印刷物の前小口の周りに位置され、他方の側に押しつけられる。このようにして、包装物５．１（図３）と酷似しているが、印刷物が縫合により保持されている包装品５．１１を提供する。
【００２６】
事前折返し部において包装要素を折り返した図８に関して説明したものと同様に、包装要素３．１０（図７に示す）を印刷物に縫合して処理を続けることも可能である。双方の場合において、包装要素を縫合した印刷物は既に切断した状態で本発明の方法に適用しうることは明らかである。既に包装要素に縫合した印刷物に１個以上の他の印刷物を、包装要素とそれに縫合された印刷物の間で、あるいは印刷物の側部の間に挿入することも可能である。
【００２７】
図３から図８までに示す方法は大量の包装物を作るために多様な方法で組み合わせたり、修正することが可能である。
【００２８】
図９から図１４までは挿入区画室に位置した包装要素および（または）印刷物に対して包装方法の諸段階を実行する手段の実施例を示す。前述した全て包装方法の実施例が実行できるように包装ドラム（図１）あるいは回転式包装装置（図２）を備えた包装手段を設置したい場合、包装要素を開く手段、包装要素と包装すべき製品とを横方向に整合させる手段、包装要素と包装すべき製品とを切断する手段、包装要素の折り返し部を折り戻す、すなわち開放する手段、包装要素あるいは印刷物に接着剤を付与する手段、包装要素の縁部を押しつけたり、あるいは変形させる手段、包装要素を包装すべき製品の縁部の周りに位置させる手段および包装要素の一部を押圧する手段を具備する必要がある。
【００２９】
前述の方法の諸段階を実行する手段を挿入区画室に位置させてもよい。それらは、ある程度静止していてよく、内部移送手段がその近傍で挿入すべく包装要素および（または）包装すべき印刷物を案内することができ、あるいは、それらは区画室における静止した包装要素および（または）印刷物の上を独自に運動することにより作用させてもよい。包装方法の諸段階を実行する手段は、挿入区画室の移動により近傍まで導かれてきた印刷物および（または）包装要素に対して相互作用しうるように挿入区画室の外側で固定して配置させることも可能である。
【００３０】
包装ドラムの挿入区画室において包装要素を開放する手段あるいは包装ドラムの挿入区画室において既に開放された包装要素を明確に位置決めする手段は、例えばドイツ特許第２４４７３３６号（または米国特許第３９５１３９９号−Ｆ６９）から知られている。後者はまた、包装要素と包装すべき印刷物とを横方向に整合させる手段も開示している。回転式包装装置の挿入区画室に対しても対応する適合が必要である。スイス特許第６４４８１４号（または米国特許第４３９８７１０号−Ｆ１１１）あるいは同第６４４８１５号（または米国特許第４４２０１４６号−Ｆ１１２）に別の開放手段が記載されている。
【００３１】
包装要素と、その中に挿入された印刷物とを切断する手段が例えば、欧州特許第３６７７１５号（または米国特許第５１１３７３１号−Ｆ２７１）、スイス特許第５８３６１１号（または米国特許第４０３８８９３号−Ｆ７８）あるいはスイス特許第６６８２１６号（米国特許第４，０３８，８９３号−Ｆ１９７）に記載されている。
【００３２】
図９は、例えば包装ドラムにおける内部移送手段を示していない挿入区画室の折曲げ縁に対して平行に向けられた包装要素の折返し部を折り戻す、すなわち開放する手段の実施例を概略図示する。挿入区画室の一方の壁９０のみが示されている。ドラムの回転および区画室の中味の移動は矢印ＢおよびＡによって示されている。開放状態で挿入区画室を移動（矢印Ａ）する間の折返し部９１を備えた包装要素３は折戻し、すなわち開放ノーズ９２を通り、包装要素の折返し部９１と、残りの部分との間を前記ノーズが係合して折返し部を開放する。例えば図７に示すように、ノーズに対して斜めである、矢印Ａの方向の後続の折返し部分も同様のノーズにより開くことができる。矢印Ａの方向に導かれている折返し部に対しては図１０に示すような折戻し、すなわち開放ブレードを設ける必要がある。
【００３３】
図１０は内部移送手段を備えていない挿入区画室において包装要素３の折返し部を折り戻す、すなわち開放する手段の例を示す。挿入区画の一方の壁１００のみが示されている。挿入区画室の移動方向Ｂは本図の平面に対して直角である。挿入区画室１００の横方向に回転式の折戻し、すなわち開放ブレード１０１，１０２が配設されており、それらは包装要素３の折返し部１０３，１０４の間に係合し、前記折返し部を折り戻す、すなわち開放するように挿入区画室の移動と同期化されている。図１０に示す形式のブレードは（内部移動手段を備えていない）各挿入区画室に設けることもでき、区画室の移送軌道の特定領域において作用する。
【００３４】
図１１は包装要素３に接着剤を付与する手段の例を極めて概略的に示す。本手段は、挿入区画室１１１の外側に固定された噴射装置１１０により構成されている。噴射装置１１０の向きにより、包装すべき印刷物４、あるいは実際の印刷物４より突出する包装要素３の部分に接着剤を付与することができる。
【００３５】
図１２は包装要素の縁部分を相互に押圧あるいは変形させる（図４および図５に示す方法）手段の実施例を示す。前記手段は、相互に対して押圧され、区画室（一方の壁１２０のみ示す）に位置し、包装要素３が挿入区画室内で移送される間（矢印Ａ）その縁部が間を通される一対のロール１２１から構成されている。縁部を同時に変形させる場合には、ロールの代りに噛み合わせ歯付きローラが使用される。内部移送手段と協働しない、包装要素の縁部押圧あるいは変形手段は相互に対して運動しうる、相応する構造のクランプジョーに代えてもよい。
【００３６】
図１３と図１４とは、包装すべき製品の縁部の周りに包装要素の一部を巻き付け、該部分を他方の側に押しつける手段の実施例を示す。
【００３７】
図１３によれば、挿入区画室において包装要素を移送する間（矢印Ａ）、包装要素３の事前折返し部１３０が折曲げノーズ１３１によって案内され、次いで包装された印刷物に対して押圧ロール１３２によって押圧される。前記手段は製品をＡの方向に移動させる内部移動手段を備えた挿入区画室において使用可能である。
【００３８】
図１４によれば、包装要素３と、包装すべき印刷物とは、包装要素の事前折返し部１３０が前記区画室から突出するように挿入区画室に保持されている。事前折返し部は、包装すべき印刷物の対応する縁部の周りに位置するように、Ｂ方向の挿入区画室の動きを介して折返しテンプレート１４０を通って運ばれる。挿入区画室の移動と同期化されて駆動されている、対応して配置のスターローラ１４１により、事前折返し部は包装された印刷物に対して押圧される。
【００３９】
本発明の方法の個々の段階を実施するための、図９から図１４までに関連して説明し、かつ図示した手段は実施例を構成するが、その他の公知の実施例あるいは説明してきた実施例から引き出された実施例を用いることも可能である。
【図面の簡単な説明】
【図１】本発明による包装方法を示すための本発明による手段の概略図。
【図２】本発明による包装方法を示すための本発明による手段の概略図。
【図３】本発明による包装方法と該方法により作ることのできる包装物との実施例を示す図。
【図４】本発明による包装方法と該方法により作ることのできる包装物との実施例を示す図。
【図５】本発明による包装方法と該方法により作ることのできる包装物との実施例を示す図。
【図６】本発明による包装方法と該方法により作ることのできる包装物との実施例を示す図。
【図７】本発明による包装方法と該方法により作ることのできる包装物との実施例を示す図。
【図８】本発明による包装方法と該方法により作ることのできる包装物との実施例を示す図。
【図９】本発明による方法の個々の段階を実施するための本発明による手段の一部を示す図。
【図１０】本発明による方法の個々の段階を実施するための本発明による手段の一部を示す図。
【図１１】本発明による方法の個々の段階を実施するための本発明による手段の一部を示す図。
【図１２】本発明による方法の個々の段階を実施するための本発明による手段の一部を示す図。
【図１３】本発明による方法の個々の段階を実施するための本発明による手段の一部を示す図。
【図１４】本発明による方法の個々の段階を実施するための本発明による手段の一部を示す図。
【符号の説明】
１  包装ドラム
２  包装装置
３  包装要素
４  印刷物
５  包装物
１０，２０  区画室
９２  開放ノーズ
１０１，１０２  開放ブレード
１１０  噴射装置
１２１  押圧ローラ
１３１  折曲げノーズ
１３２  押圧ローラ
１４０  折曲げテンプレート
１４１  スターローラ
【図１】
0003703876.tif 000002
【図２】
0003703876.tif 000003
【図３】
0003703876.tif 000004
【図４】
0003703876.tif 000005
【図５】
0003703876.tif 000006
【図６】
0003703876.tif 000007
【図７】
0003703876.tif 000008
【図８】
0003703876.tif 000009
【図９】
0003703876.tif 000010
【図１０】
0003703876.tif 000011
【図１１】
0003703876.tif 000012
【図１２】
0003703876.tif 000013
【図１３】
0003703876.tif 000014
【図１４】
0003703876.tif 000015